(57)【要約】【課題】情報処理端末とアタッチメントとを含む肌診断システムなどの情報処理システムにおいて、通信手段を利用せずにアタッチメントのソフトウェア等のバージョン情報を確認する。【解決手段】情報処理システムにおいて、発光可能な発光部と、第１情報を記憶するアタッチメント記憶部と、前記第１情報に対応した点滅パターンで前記発光部を発光させるアタッチメント制御部と、を有するアタッチメントと、撮像可能な撮像部と、画像を表示可能な表示部と、前記発光部の点滅パターンに関連づけられた、前記第１情報に対応した第２情報を記憶する端末記憶部と、前記撮像部により撮像した前記発光部の点滅パターンに応じて、前記端末記憶部の前記第２情報を前記表示部に表示する端末制御部と、を有する情報処理端末と、を備える構成とする。【選択図】図１
2019046035.tif 000002
【特許請求の範囲】
【請求項１】
情報処理端末とアタッチメントとを含む情報処理システムであって、
発光可能な発光部と、
第１情報を記憶するアタッチメント記憶部と、
前記第１情報に対応した点滅パターンで前記発光部を発光させるアタッチメント制御部と、
を有するアタッチメントと、
撮像可能な撮像部と、
画像を表示可能な表示部と、
前記発光部の点滅パターンに関連づけられた、前記第１情報に対応した第２情報を記憶する端末記憶部と、
前記撮像部により撮像した前記発光部の点滅パターンに応じて、前記端末記憶部の前記第２情報を前記表示部に表示する端末制御部と、
を有する情報処理端末と、を備える、
情報処理システム。
【請求項２】
前記アタッチメントは、外部機器との通信手段を有さない、
請求項１に記載の情報処理システム。
【請求項３】
前記情報処理端末は、肌画像を撮像し、撮像した画像データまたは前記画像に基づいて生成された加工データを外部機器に送信し、
前記アタッチメントは、前記情報処理端末による肌画像の撮像に同期して動作する、
請求項１または請求項２に記載の情報処理システム。
【請求項４】
前記第１情報及び前記第２情報は、前記アタッチメント記憶部に記憶された、プログラムのバージョン情報である、
請求項１から請求項３のいずれか１項に記載の情報処理システム。
【請求項５】
前記第１情報及び前記第２情報は、前記アタッチメント記憶部に記憶された、前記アタッチメントの固体に関する情報である、
請求項１から請求項３のいずれか１項に記載の情報処理システム。
【発明の詳細な説明】
【技術分野】
【０００１】
本発明の一態様は、肌診断システムなどの情報処理システムに関する。
【背景技術】
【０００２】
以前より、特許文献１に記載されたような、通信ネットワークを利用した肌の診断システムが知られている。一方で、特許文献２に記載されたような、ソフトウェア更新インタフェースに関する装置が知られている。
【先行技術文献】
【特許文献】
【０００３】
【特許文献１】特開２０１５−２４９１３８号公報
【特許文献２】特開２００６−３４０１９６号公報
【発明の概要】
【発明が解決しようとする課題】
【０００４】
一方で、通信ネットワークを利用した肌診断システムにおいて、小型軽量化かつ低価格化などの目的で、スマートフォンなどの情報端末にアタッチメントを取り付けて、肌画像診断システムとして利用する構成の採用を検討している。このようなアタッチメントでは、所望の波長の光などを肌に照射しながら、スマートフォンに搭載されたカメラで肌を撮像する方式を採用することがある。この場合、アタッチメントは、スマートフォンを含む他の機器と通信を行う必要がないため通信インタフェースを設ける必要がないが、通信インタフェースがない場合には、アタッチメントを動作させるプログラム（ソフトウェア、ファームウェア、またはドライバ等を含む）のバージョンの確認方法がなかった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
情報処理端末（２）とアタッチメント（１）とを含む情報処理システムであって、
発光可能な発光部（１３）と、
第１情報を記憶するアタッチメント記憶部（１２）と、
前記第１情報に対応した点滅パターンで前記発光部を発光させるアタッチメント制御部（１０）と、
を有するアタッチメント（１）と、
撮像可能な撮像部（２１）と、
画像を表示可能な表示部（２５）と、
前記発光部の点滅パターンに関連づけられた、前記第１情報に対応した第２情報を記憶する端末記憶部（２４）と、
前記撮像部により撮像した前記発光部の点滅パターンに応じて、前記端末記憶部の前記第２情報を前記表示部に表示する端末制御部（２０）と、
を有する情報処理端末（２）と、を備える、
情報処理システムである。
【０００７】
上記構成の情報処理システムによれば、アタッチメントが外部機器との通信機能を有さず、アタッチメントに記憶された情報を確認する手段に乏しい場合であっても、情報処理端末を利用することで、アタッチメントに関する情報を比較的容易に確認することが可能となる。
【０００８】
上記情報処理システムにおいて、好ましくは、
前記アタッチメントは、外部機器との通信手段を有さない。
【０００９】
上記構成の情報処理システムによれば、アタッチメントが外部機器との通信機能を有さない構成において、アタッチメントに関する情報を比較的容易に確認することが可能となる。
【００１０】
上記情報処理システムにおいて、好ましくは、
前記情報処理端末は、肌画像を撮像し、撮像した画像データまたは前記画像に基づいて生成された加工データを外部機器に送信し、
前記アタッチメントは、前記情報処理端末による肌画像の撮像に同期して動作する。
【００１１】
上記構成の情報処理システムによれば、通信機能を有する必要のない簡易なアタッチメントを備える肌画像診断装置において、アタッチメントに関する情報を比較的容易に確認することが可能となる。
【００１２】
上記情報処理システムにおいて、好ましくは、
前記第１情報及び前記第２情報は、前記アタッチメント記憶部に記憶された、プログラムのバージョン情報である。
【００１３】
上記構成の情報処理システムによれば、アタッチメントが通信機能を有さない構成であっても、アタッチメントを動作させるプログラム（ソフトウェア、ファームウェア、またはドライバ等）を、比較的容易に確認することが可能となる。
【００１４】
上記情報処理システムにおいて、好ましくは、
前記第１情報及び前記第２情報は、前記アタッチメント記憶部に記憶された、前記アタッチメントの固体に関する情報である。
【００１５】
上記構成の情報処理システムによれば、アタッチメントが通信機能を有さない構成であっても、アタッチメントの製造番号、製造日、生産地、またはメーカーなどのアタッチメントの固体に関する情報を、比較的容易に確認することが可能となる。
【図面の簡単な説明】
【００１６】
【図１】図１は、肌診断システムの構成例を示す図である。
【図２】図２は、肌画像診断アタッチメントの動作を示すフローチャートである。
【図３】図３は、情報処理端末の動作を示すフローチャートである。
【発明を実施するための形態】
【００１７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．補足事項
【００１８】
＜１．実施形態＞
本実施形態の肌診断システムは、スマートフォンなどの情報処理端末及びアタッチメントからなり、通信機能を有さず発光機能を有するアタッチメントの発光機能と、情報処理端末の撮像機能及び通信機能とを用いて、アタッチメントを動作させるソフトウェア等のバージョンを確認可能にしている点を特徴の一つとする。以下、本実施形態の肌診断システムについて具体的に説明する。
【００１９】
＜肌診断システムの構成例＞
図１は、本実施形態の肌診断システムの構成例を示す図である。図１に示されるように、肌診断システムは、肌画像撮影アタッチメント１と、情報処理端末２とを含んで構成される。肌診断システムは、これらの構成以外に、情報処理端末２と有線または無線で接続されたサーバを含む。なお、肌診断システムは、本発明の「情報処理システム」の一例である。
【００２０】
＜肌画像撮影アタッチメント１＞
肌画像撮影アタッチメント１は、例えば、スマートフォンなどの情報処理端末２に取り付けられた発光装置である。肌画像撮影アタッチメント１は、ユーザの操作に応じて発光し、ユーザの肌に対して光を照射する。なお、肌画像撮影アタッチメント１は、本発明の「アタッチメント」の一例である。
【００２１】
肌画像撮影アタッチメント１は、図１に示されるように、制御部１０、操作スイッチ１１、記憶部１２、及び発光部１３を含んで構成される。
【００２２】
＜操作スイッチ１１＞
操作スイッチ１１は、比較的簡易な構成の物理スイッチであって、ユーザにより押下されると、押下されたことを示す情報を制御部１０に出力する。肌画像撮影アタッチメント１は、１つまたは少数の操作部を有しており、操作スイッチ１１はその操作部の一つである。本実施形態の肌画像撮影アタッチメント１は、操作スイッチ１１が短時間押下されると肌診断のために発光部１３を点灯させ、操作スイッチ１１が長時間押下されると、肌画像撮影アタッチメント１のソフトウェア等のバージョン情報に応じた点滅パターンで発光部１３を点滅させるよう動作する。
【００２３】
＜記憶部１２＞
記憶部１２は、肌画像撮影アタッチメント１を動作させるソフトウェア、ファームウェア、またはドライバ等（以下、「ソフトウェア等」と称する）に関する情報と、これらのバージョンに関する情報などを記憶する。記憶部１２は、さらに、肌画像撮影アタッチメント１の製造番号、製造日、生産地、及び製造メーカーなどの固体情報を記憶する。記憶部１２は、制御部１０の制御により、記憶している情報を制御部１０に出力する。なお、ソフトウェア等に関する情報、または製造番号等の固体情報は、本発明における「第１情報」の一例である。また、本発明では、ソフトウェア、ファームウェア、またはドライバ等を「プログラム」と総称することがある。
【００２４】
＜発光部１３＞
発光部１３は、所定の波長で発光可能なＬＥＤを含んでおり、制御部１０の制御に応じて発光する。発光部１３は、制御部１０の制御に応じて、動作（発光）させるＬＥＤの種類、数、または点滅周期等を変化させて発光可能である。
【００２５】
＜制御部１０＞
制御部１０は、肌画像撮影アタッチメント１に含まれる各構成を制御しており、例えば半導体装置で構成されたマイコンまたはＣＰＵなどである。
【００２６】
制御部１０は、肌画像を撮像する際には、ユーザの操作に応じて、発光部１３を所定の態様で発光させる。例えば、制御部１０は、発光部１３を、第１波長と第２波長とを含む光を所定の時間間隔で点滅させながら発光させるよう制御する。制御部１０は、記憶部１２に記憶されたソフトウェア等に基づき、発光部１３を動作させる。このとき、発光部１３による光の照射（発光）と、情報処理端末２の撮像部２１による撮像とは、同期して動作する。
【００２７】
ソフトウェア等のバージョン情報の確認動作の際における制御部１０の具体的な動作は後述する。
【００２８】
＜情報処理端末２＞
情報処理端末２は、肌画像撮影アタッチメント１が取り付けられることで肌診断システムとして動作するスマートフォンまたはタブレット機器などの端末である。情報処理端末２は、スマートフォンなどであるため種々の機能を有しているが、本実施形態では、本発明における特徴的な機能部分についてのみ説明する。なお、「点滅パターン情報」とは、発光部１３の点滅パターンの撮像結果（画像データ）に応じて生成された２値化データ（デジタルデータ）である。
【００２９】
情報処理端末２は、図１に示されるように、制御部２０、撮像部２１、通信部２２、操作部２３、記憶部２４、及び表示部２５を含んで構成される。
【００３０】
＜撮像部２１＞
撮像部２１は、撮影対象となるユーザの肌で反射された光を結像する結像光学系、及びこの結像光学系の結像位置に受光面を有するＣＭＯＳやＣＣＤなどの撮像素子を備え、撮影した肌画像を静止画または動画として出力するよう構成される。撮像部２１は、いわゆるカメラである。また、撮像部２１は、ユーザの操作に応じて、肌画像撮影アタッチメント１における発光部１３の点滅の態様（パターン）を動画として撮像して、撮像した画像データを制御部２０に出力する。
【００３１】
＜通信部２２＞
通信部２２は、制御部２０の制御により、有線または無線で外部機器と通信可能に構成される。特に本実施形態では、通信部２２は、制御部２０の制御により、肌画像撮影アタッチメント１の発光部１３の点滅パターンを撮像し、撮像結果に基づいて制御部２０により生成された点滅パターン情報をサーバに送信し、点滅パターン情報に応じた情報をサーバから受信して制御部２０に出力する。この、サーバから受信する情報は、ソフトウェア等のバージョン情報を示す情報である。このサーバから受信する情報は、本発明の「第２情報」の一例である。なお、ソフトウェア等のバージョン情報（第１情報）と、サーバから受信する情報（第２情報）とは、通常は同一の情報であるが、同一ではない対応する情報であってもよい。
【００３２】
＜操作部２３＞
操作部２３は、例えば、表示部２５と一体的に構成されたタッチパネルなどである。操作部２３は、ユーザの操作を検出して、検出結果を制御部２０に出力する。
【００３３】
＜記憶部２４＞
記憶部２４は、制御部２０の制御により種々の情報を記憶可能に構成される。特に本実施形態では、記憶部２４は、撮像部２１により撮像された発光部１３の点滅状態を示す画像データ（動画データ）、及び／または、この画像データに基づいて生成された２値化データである点滅パターン情報などを記憶する。また、記憶部２４は、サーバから取得した、点滅パターン情報に対応したソフトウェア等のバージョン情報を記憶する。
【００３４】
＜表示部２５＞
表示部２５は、制御部２０の制御により、ユーザが視認可能な態様で、所定の画像を表示するよう構成される。表示部２５は、例えば、液晶表示部、または有機ＥＬ表示部などである。特に本実施形態では、表示部２５は、制御部２０の制御により、撮像部２１により撮像された発光部１３の点滅パターン情報に対応してサーバから取得したソフトウェア等のバージョン情報を表示する。
【００３５】
＜制御部２０＞
制御部２０は、情報処理端末２に含まれる各構成を制御しており、例えば半導体装置で構成されたマイコンまたはＣＰＵなどである。ソフトウェア等のバージョン情報の確認動作の際における制御部２０の具体的な動作は後述する。
【００３６】
制御部２０は、肌画像の診断を行う際には、撮像部２１で撮像したユーザの肌画像の画像データ、肌画像を圧縮したデータ、または肌画像から特定の情報を抽出した加工データをサーバなどの外部機器に送信する。サーバなどの外部機器では、この画像データ等に基づいて所定の処理を行い、診断結果を情報処理端末２に送信する。通信部２２は、送信された診断結果を受信する。制御部２０は、受信した診断結果を表示部２５に表示させる。
【００３７】
＜ソフトウェア等のバージョン情報の確認動作＞
次に、本実施形態の肌診断システムで行われる、ソフトウェア等のバージョン情報の確認動作について具体的に説明する。図２及び図３は、ソフトウェア等のバージョン情報の確認動作を示したフローチャートであって、図２は肌画像撮影アタッチメント１の動作、図３は情報処理端末２の動作を示している。
【００３８】
＜Ｓ１００、Ｓ１１０＞
ユーザが、肌画像撮影アタッチメント１の操作スイッチ１１を長押しすると、肌画像撮影アタッチメント１の制御部１０はこの操作を検出して、ソフトウェア等のバージョン情報の確認動作を開始する（Ｓ１００、Ｓ１１０）。
【００３９】
＜Ｓ１２０、Ｓ１３０＞
ソフトウェア等のバージョン情報の確認動作が開始すると、制御部１０は、記憶部２４に記憶されたソフトウェア等のバージョン情報を読み出して確認する（Ｓ１２０）。そして、制御部１０は、確認したソフトウェア等のバージョン情報に応じた態様で、発光部１３を点滅させるなどして発光させる（Ｓ１３０）。
【００４０】
発光部１３が点滅する態様は、例えば、発光時の点灯時間を可変にし、点灯時間が比較的短い発光時間は「０」を指し、点灯時間が比較的長い発光時間は「１」を指し、これらの「０」と「１」の組み合わせの２進数によりソフトウェア等のバージョン情報を表現するような態様が考えられる。なお、発光部１３の点滅方法によりソフトウェア等のバージョン情報を表現する方法には種々の方法があり、当業者により適宜決定される。
【００４１】
＜Ｓ１４０＞
制御部１０により、発光部１３が所定の態様で点滅したら、肌画像撮影アタッチメント１における発光動作は終了する（Ｓ１４０）。
【００４２】
＜Ｓ２００〜Ｓ２３０＞
一方で、情報処理端末２では、ユーザが情報処理端末２でソフトウェア等のバージョン情報確認のためのソフトウェアを起動する操作を行うと（Ｓ２００、Ｓ２１０）、制御部２０は、記憶部２４に記憶されたソフトウェア等のバージョン情報を確認するためのソフトウェアを起動し（Ｓ２２０）、撮像部２１による発光部１３の点滅状態の撮像を開始する（Ｓ２３０）。撮像部２１により撮像された発光部１３の点滅状態の撮像結果の画像データは、制御部２０により記憶部２４に記憶させられる。制御部２０は、この画像データから、発光部１３の発光態様を特定する情報のみを抽出する。例えば、制御部２０は、発光部１３の点灯時間に応じて判定された２進数のデータを取得し、このデータを点滅パターン情報として記憶部２４に記憶させる。
【００４３】
＜Ｓ２４０＞
次に、制御部２０は、記憶部２４に記憶させた点滅パターン情報を、通信部２２を介してサーバ（図示省略）に送信する。サーバは、この点滅パターン情報に対応する情報を、情報処理端末２に対して送信する。通信部２２は、サーバから受信した、点滅パターン情報に対応する情報を、制御部２０を介して記憶部２４に記憶させる。この、サーバから受信した点滅パターンに対応する情報は、肌画像撮影アタッチメント１の記憶部１２に記憶されたソフトウェア等のバージョン情報を示している。制御部２０は、サーバから受信した点滅パターンに対応する情報に基づいて、ソフトウェア等のバージョン情報を特定する（Ｓ２４０）。
【００４４】
すなわち、肌画像撮影アタッチメント１の記憶部１２に記憶された、ソフトウェア等のバージョン情報は、肌画像撮影アタッチメント１の発光部１３の点滅パターンで表現される。情報処理端末２では、この点滅パターンを撮像し、撮像結果から２値化データである点滅パターン情報を生成している。情報処理端末２は、この点滅パターン情報をサーバに送信して、点滅パターンに対応する情報を取得している。つまり、これらの点滅パターンや情報は、表現方法が異なるが、いずれもソフトウェア等のバージョン情報に対応している。
【００４５】
＜Ｓ２５０、Ｓ２６０＞
次に、制御部２０は、特定したソフトウェア等のバージョン情報を、表示部２５に表示し（Ｓ２５０）、処理を終了する（Ｓ２６０）。これによってユーザは、肌画像撮影アタッチメント１のソフトウェア等のバージョン情報を確認することが可能となる。
【００４６】
なお、上記の動作は肌画像撮影アタッチメント１のソフトウェア等のバージョン情報の確認動作であるが、バージョン情報の確認以外にも、同様の方法で肌画像撮影アタッチメント１の固体情報なども確認可能である。
【００４７】
本実施形態の肌診断システムでは、上記のように、ソフトウェア等のバージョン情報を発光部１３の点滅パターンにより表すことで、このバージョン情報を情報処理端末２で確認可能にしている。これにより、肌画像撮影アタッチメント１が外部機器との通信機能を有さず、肌画像撮影アタッチメント１に記憶された情報を確認する手段に乏しい場合であっても、情報処理端末２を利用することで、肌画像撮影アタッチメント１に関する情報を比較的容易に確認することが可能となる。
【００４８】
なお、本実施形態の肌診断システムは、通信手段を必要としない肌画像撮影アタッチメント１を含む構成で特に有用であるが、必ずしも肌診断システムに限定されるものではなく、通信手段を有さないアタッチメントと、通信手段と撮像手段とを有する情報処理端末２とを含む別の情報処理システムにも適用可能である。
【００４９】
本実施形態の肌診断システムを含む情報処理システムは、特に、アタッチメントが外部機器との通信手段を有さない場合に有用である。このような情報処理システムによれば、アタッチメントに関する情報を比較的容易に確認することが可能となる。
【００５０】
本実施形態の肌診断システムを含む情報処理システムは、特に、アタッチメントを動作させるプログラム（ソフトウェア、ファームウェア、またはドライバ等）を、比較的容易に確認することができる。
【００５１】
また、本実施形態の肌診断システムを含む情報処理システムは、アタッチメントの製造番号等の固体に関する情報を、比較的容易に確認することが可能である。
【００５２】
＜２．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００５３】
上記実施形態では、情報処理端末２として主にスマートフォンを例に挙げて説明していたが、情報処理端末２が有する構成を備える他の機器を、情報処理端末２として採用してもよい。つまり、情報処理端末２は、例えば、ＰＣを含む種々の電子機器であってもよい。
【産業上の利用可能性】
【００５４】
本発明は、肌診断システムなどとして好適に適用される。
【符号の説明】
【００５５】
１…肌画像撮影アタッチメント
１０…制御部
１１…操作スイッチ
１２…記憶部
１３…発光部
２…情報処理端末
２０…制御部
２１…撮像部
２２…通信部
２３…操作部
２４…記憶部
２５…表示部
【図１】
2019046035.tif 000003
【図２】
2019046035.tif 000004
【図３】
2019046035.tif 000005